(57)【特許請求の範囲】
【請求項１】
プラスチックフィルムにより方形状に形成した物品の密封収容袋であって、この密封収容袋本体の相対向する両側縁には巾出し用の襠部が設けてあり、該両襠部を巾出し可能に二つ折り状に内側に折り込んで、物品の収容時に、この折込んだ両襠部を巾出しして、密封収容袋本体の容積を全体にわたり拡大可能に構成すると共に、一方の襠部の一方の辺縁に開口部を設けて該開口部を密閉用ファスナーにより開閉自在に構成し、且つ該開口部の外側縁に密閉用ファスナーの係合用スライダーを摺動可能に嵌着したことを特徴とする物品の密封収容袋。
【請求項２】
密封収容袋本体の開口部以外の所望の側縁に密封収容袋内の気体を放出するための逆止弁を設けた請求項１に記載の物品の密封収容袋。
【発明の詳細な説明】
【０００１】
【発明の属する技術分野】
本発明は、物品の密封収容袋に関し、さらに詳しくは、物品の収容量を増大し得ると共に、物品を収容した密封収容袋を長手方向に立置できて整理整頓上の便益を計り得る等の利点を備えた物品の密封収容袋に関する。
【０００２】
【従来の技術】
プラスチックフィルム製の物品の密封収容袋としては、従来より種々の構造を備えたものが数多く提供されており、例えば、登録実用新案第２５３５５４８号公報に開示されている立置可能な緩衝包装材が知られている。
【０００３】
而して、上記の立置可能な緩衝包装材は、その独自の構造に基づいて数々の優れた効果を奏し得るものであり、例えば、プラスチックフィルム製の外袋の底面を内側に折り込んだ構造により、使用時に該折り込み部を平らな底面に形成して立置を可能にした利点等を備えてはいるが、その考案の目的から当然であるとはいえ、該折り込み部は包装材本体の片側（底部側）のみに設けられているため、反底部側での立置は不可能であると共に、物品の収容時に、包装材の容積を全体にわたり拡大して物品の収容量を増大することも不可能であると言った問題がある。
【０００４】
【発明が解決しようとする課題】
本発明は、上記の問題を解決することを課題として開発されたもので、不便用時には扁平に嵩低く形成されていても、物品の収容時には密封収容袋本体の容積を部分的ではなく全体にわたり拡大して物品の収容量を増大でき、且つ物品を収容した密封収容袋を、襠部をそれぞれ設けた二個所の側縁で立置できる至便性を備えた物品の密封収容袋を提供することを目的とする。
【０００５】
【課題を解決するための手段】
上記の課題を解決し、その目的を達成する手段として、本発明は、プラスチックフィルムにより方形状に形成した物品の密封収容袋であって、この密封収容袋本体の相対向する両側縁には巾出し用の襠部が設けてあり、該両襠部を巾出し可能に二つ折り状に内側に折り込んで、物品の収容時に、この折込んだ両襠部を巾出しして、密封収容袋本体の容積を全体にわたり拡大可能に構成すると共に、一方の襠部の一方の辺縁に開口部を設けて、該開口部を密閉用ファスナーにより開閉自在に構成し、且つ該開口部の外側縁に密閉用ファスナーの係合用スライダーを摺動可能に嵌着したことを特徴とする物品の密封収容袋を提供するものである。
【０００６】
また、本発明は、上記のように構成した物品の密封収容袋において、密封収容袋本体の開口部以外の所望の側縁に密封収容袋内の気体を放出するための逆止弁を設けた物品の密封収容袋を提供するものである。
【０００７】
【発明の実施の形態】
以下に、本発明の実施の形態を添付図面に基づいて説明すれば、図１〜７は本発明の第１の実施の形態を示しており、同図において、１はプラスチックフィルム製の物品の密封収容袋本体であって、この実施の形態では、加熱接着性を有する同形、同大の二枚の長方形状のプラスチックフィルムを重ね合わせ、その所要の周辺を加熱接着して扁平な袋状に形成してあり、該密封収容袋本体１は、その相対する開口側の側縁２と底部側の側縁３とを長方形状の巾出し用の襠部２ａと３ａで構成し、該襠部２ａと３ａを長方形状に巾出し可能に二つ折り状に内側に折り込んで、不使用時には全体の形状が略正方形状の扁平袋体になるように構成されている。
【０００８】
また、上記開口部側の側縁２の襠部２ａの長手側の一方の辺縁２ａ1には、該辺縁２ａ1に沿い全長にわたって開口した開口部４が設けられており、該開口部４は、図４では略示したが、図５に明示したように、開口部４の内面に対設したプラスチック製の雌雄の帯状のファスナー５ａ，５ｂにより開閉自在に、且つ密閉可能に構成されている。
【０００９】
さらに、この実施の形態では、密封収容袋の上記開口部４の外側縁に、上記雌雄の帯状のファスナー５ａ，５ｂを係合して該開口部４を密閉するための係合用スライダー６が摺動自在に嵌着されていて、このようにして本発明の第１の実施の形態に係る物品の密封収容袋を構成したものである。
【００１０】
なお、上記係合用スライダー６は、ポリプロピレン等の硬質プラスチックを原料として金型成形された公知のものであって、図５〜７に示すように、基部７から一体に対向連設した長方形状の挾圧用の対向条片８，８と、該対向条片８，８の対向内面に、その短巾方向に凹設した、前記雌雄の帯状のファスナー５ａ，５ｂを密封収容袋の開口部４の外側から嵌入して加圧係合するための一条の嵌入溝９と、上記対向条片８，８の連設基部７の中間部から対向条片８，８の前方閉じ合わせ部８ａに向って、該対向条片８，８間に一体に突設した舌片状のストッパー１０とから構成されている。
【００１１】
また、上記ストッパー１０は、その突出先端が上記嵌入溝９の手前即ち、上記連設基部７側における手前に位置するように短めに突設されており、且つ上記対向条片８，８は、硬質プラスチックからなる係合用スライダー６自体の剛性と弾性により対向側に強く弾引付勢されていて、密封収容袋の開口部４の辺縁を挾着するように圧着されている。
【００１２】
次に、上記のように構成された第１の実施の形態の一使用状態を作用、効果と共に説明すれば、密封収容袋本体１の開口部４を密閉しているファスナー５ａ，５ｂの係合を指先等で解いて開口部４を開放し、図示していないが、密封収容袋本体１の開口部側の側縁２と底部側の側縁３の内側に二つ折り状に折り込まれている巾出し用の襠部２ａと３ａを外側に引出すか押出すと、図８に略示するように密封収容袋本体１は嵩高く巾出しされ、袋の全体にわたって容積を著しく増大できる。
【００１３】
また、上記の構造にしたがえば、その開口部４を十分に拡開できるので、例えば各種布団類、衣類、その他の嵩高い物品Ｍを容易に収容し得ると共に、その収容量を著しく増大できるものであり、物品Ｍを収容した後に、上記係合用スライダー６を開口部４の一端側から他端側に摺動することにより、雌雄の帯状のファスナー５ａ，５ｂを係合して開口部４を確実に密閉できるものである。
【００１４】
上記のようにして物品Ｍを収容した密封収容袋は、押入れなどに横置きして収容できるだけではなく、図９に略示するように、その襠部２ａ，３ａを利用して正逆自在に立置できるので、巾の狭いスペースを備えた収納庫Ｂにも確実に収納できる利点がある。
【００１５】
次に、公知ではあるが、前記した係合用スライダー６の嵌着状態及び使用状態を要説すれば、指先または拡開器具（図示せず）を用いて、閉じられた状態にある係合用スライダー６の対向条片８，８を、その前方閉じ合わせ部８ａから押し開き、図５及び図１に示すように、密封収容袋の開口部４の片隅の辺縁間に係合用スライダー６のストッパー１０を挿入し、対向条片８，８の内面の対称位置に形設した一条の嵌入溝９を、密封収容袋の開口部４の辺縁に対設した帯条ファスナー５ａ，５ｂの外側に位置させ、次に、指先または拡開器具により対向条片８，８に加えられていた押し開き力を開除すると、対向条片８，８は、その弾引付勢された弾着力により閉じ合わされて密封収容袋の開口部４の辺縁を挾着する。
【００１６】
したがって、密封収容袋の開口部４の辺縁に対設した雌雄の帯条ファスナー５ａ，５ｂは、図５に拡大図示するように、係合用スライダー６の対向条片８，８の一条の嵌入溝９内に嵌入挾着されるので、係合用スライダー６は密封収容袋の開口部４の辺縁に確実に取り付けられて離脱するおそれがない。
【００１７】
次に、密封収容袋の片隅に挾着してある係合用スライダー６を密封収容袋の他方の片隅まで摺動させると、開口部４の両側内面に対設した雌雄の帯条ファスナー５ａ，５ｂは、係合用スライダー６の対向条片８，８の内面に対設した嵌入溝９により挾圧抱持されているため、円滑確実に係着され、開口部４を確実に密閉する。
【００１８】
このとき、係合用スライダー６に設けたストッパー１０は、開口部４の辺縁間において、雌雄の帯条ファスナー５ａ，５ｂの手前まで挿入されているので、係合用スライダー６のスライド操作に支障を来たすおそれがないことは勿論、係合用スライダー６のスライド操作が完了した際には、密封収容袋の一方の辺縁にストッパー１０が当って、それ以上は進行しないので、視見していなくても開口部４の密閉作業が完了したことを知ることができる利点があると共に、係合用スライダー６が密封収容袋から側方に抜脱するのを防止できる利点がある。
【００１９】
次に、図１０及び図１１は本発明の第２の実施の形態を略示したもので、上記第１の実施の形態と相違しているのは、第１の実施の形態で示した物品の密封収容袋の所望の一辺、この実施の形態では、開口部側の側縁２に設けた開口部４の反対側の他方の辺縁２ａ2において、内端側を密封収容袋内に挿入すると共に外端側を密封収容袋外に突出させ、密封収容袋内の気体は排出できるが、外気の流入を阻止できるように構成した公知のプラスチックフィルム製の扁平な逆止弁１１を配設付加した点のみであって、その他の構成は第１の実施の形態と同一である。したがって、同一部分には同一符号は付すと共に、それらの作用、効果の説明及び共通の使用状態の説明は省略する。
【００２０】
この第２の実施の形態にしたがえば、上記第１の実施の形態の作用、効果に加えて次の作用、効果を奏する。即ち、各種布団類、衣類、その他の加圧時に圧縮される物品Ｍを密封収容袋内の収容して密閉した後に、袋を加圧すると、図１１に示すように袋内の気体は逆止弁１１を介して外部に放出されるので、物品を収容した袋は著しく嵩低に縮小され、押入れ、箪笥、その他の収納ケース内にコンパクトに収納でき、収納スペースを有効に使用できるものである。
【００２１】
以上、本発明の主要な実施の形態について説明したが、本発明は上記の実施の形態のみに限定されるものではなく、発明の目的を達成でき、且つ発明の要旨を逸脱しない範囲で種々の設計変更が可能であって、これらの設計的変更も全て本発明の特許請求の範囲に包含されるものである。
【００２２】
【発明の効果】
請求項１に記載の発明は、プラスチックフィルムにより方形状に形成した物品の密封収容袋であって、この密封収容袋本体の相対向する両側縁には巾出し用の襠部が設けてあり、該両襠部を巾出し可能に二つ折り状に内側に折り込んで、物品の収容時に、この折込んだ両襠部を巾出しして、密封収容袋本体の容積を全体にわたり拡大可能に構成すると共に、一方の襠部の一方の辺縁に開口部を設けて、該開口部を密閉用ファスナーにより開閉自在に構成し、且つ該開口部の外側縁に密閉用ファスナーの係合用スライダーを摺動可能に嵌着したことを特徴とする物品の密封収容袋に係るものであるから、次の優れた効果がある。
【００２３】
密封収容袋本体の開口部側の側縁と底部側の側縁の内側に二つ折り状に折り込まれている巾出し用の両襠部を外側に引出すか押出すと、密封収容袋本体は嵩高く巾出しされ、袋の全体にわたって容積を著しく増大できるので、物品の収容能力を従来品よりも格段に向上できる。
【００２４】
上記の構造にしたがえば、その開口部を充分に拡開できるので、各種布団類、衣類、その他の嵩高い物品を袋内に容易に収容でき、且つ物品を収容した後は、雌雄のファスナーを係合することにより開口部を確実に密閉できる。
【００２５】
物品を収容した密封収容袋は、押入れなどに横置きして収容できるだけではなく、対向して設けた両襠部を利用して正逆自在に立置できるので、巾の狭いスペースを備えた収納庫にも確実に収納できる利点がある。
【００２６】
また、前記の構成に基づけば、上記の各効果に加えて、開口部の拡開を一層容易に行ない得ると共に、係合用スライダーを開口部の一端側から他端側に摺動する簡便な操作により、雌雄のファスナーを容易に係合できる利点がある。
【００２７】
請求項２に記載の発明は、請求項１に記載の発明の構成に加えて、密封収容袋本体の開口部以外の所望の側縁に密封収容袋内の気体を放出するための逆止弁を設けて構成した物品の密封収容袋に係るものであるから、上記の効果に加えて、可圧縮性の物品を収容した袋を加圧することにより、袋内の気体を外部に放出でき、袋ごと物品の嵩を縮小できるので、押入れ等の収納スペースを有効に利用できる利点がある。
【図面の簡単な説明】
【図１】本発明に係る物品の密封収容袋の第１の実施の形態を示す平面図である。
【図２】図１に向って右側から見た簡略図である。
【図３】図１に向って下側から見た簡略図である。
【図４】図１のＡ−Ａ線に沿う拡大縦断端面図であって、雌雄のファスナー部は略示されている端面図である。
【図５】図１のＢ−Ｂ線に沿う拡大断面図である。
【図６】係合用スライダーの平面図である。
【図７】図６のＣ−Ｃ線に沿う断面図である。
【図８】物品の収容状態を示す説明図である。
【図９】物品を収容した密封収容袋の収納状態の一例を示す説明図である。
【図１０】本発明に係る物品の密封収容袋の第２の実施の形態を示す平面図である。
【図１１】物品の収容状態を示す説明図である。
【図１２】収容物品ごと密封収容袋を圧縮した状態の説明図である。
【符号の説明】
１    物品の密封収容袋本体
２    開口部側の側縁
２ａ  襠部
２ａ1  一方の辺縁
２ａ2  他方の辺縁
３    底部側の側縁
３ａ  襠部
４    開口部
５ａ  雌ファスナー
５ｂ  雄ファスナー
６    係合用スライダー
７    連設基部
８    対向条片
８ａ  前方閉じ合わせ部
９    嵌入溝
１０    ストッパー
Ｍ    収容物品
Ｂ    収納庫
１１    逆止弁
【図１】
0003563713.tif 000002
【図２】
0003563713.tif 000003
【図３】
0003563713.tif 000004
【図４】
0003563713.tif 000005
【図５】
0003563713.tif 000006
【図６】
0003563713.tif 000007
【図７】
0003563713.tif 000008
【図８】
0003563713.tif 000009
【図９】
0003563713.tif 000010
【図１０】
0003563713.tif 000011
【図１１】
0003563713.tif 000012
【図１２】
0003563713.tif 000013